(57)【要約】【課題】梱包時における側板の転倒を防止し、作業性を改善したコンテナを提供する。【解決手段】底皿１、４枚の側板２，３、Ｌ字状の隅柱４，５及び蓋７から成り、一対の側板２の両側部に隅柱４を取り付け、これらの側板２を底皿１の縁部の内側に沿って起立させ、対向する隅柱４の溝に他対の側板３の両側部を差し込んで、側板２，３の上方から蓋７を被せる組立式コンテナにおいて、前記一対の側板２に取り付ける隅柱４を途中の高さまでとしておき、この下部隅柱４の上に載る上部隅柱５を他対の側板３の両側部に取り付け、上部隅柱５の外辺部５ａで一対の側板２の外側への揺動を阻止し、一対及び他対の側板２，３が相互に支持されるようにする。【選択図】図１
2006082877.tif 000002
【特許請求の範囲】
【請求項１】
底皿、４枚の側板、Ｌ字状の隅柱及び蓋から成り、一対の側板の両側部に隅柱を取り付け、これらの側板を底皿の縁部の内側に沿って起立させ、対向する隅柱の溝に他対の側板の両側部を差し込んで、側板の上方から蓋を被せる組立式コンテナにおいて、前記一対の側板に取り付ける隅柱を途中の高さまでとしておき、この下部隅柱の上に載る上部隅柱を他対の側板の両側部に取り付け、上部隅柱の外辺部で一対の側板の外側への揺動を阻止するようにしたことを特徴とする組立式コンテナ。
【請求項２】
前記各対の側板に取り付けられる隅柱として、直角をなす各方向の外辺部と内辺部の間に溝が形成され、この溝に側板が差し込まれるものを用いたことを特徴とする請求項１に記載の組立式コンテナ。
【発明の詳細な説明】
【技術分野】
【０００１】
この発明は、物品の運搬に繰り返して使用する組立式のコンテナに関するものである。
【背景技術】
【０００２】
従来、本出願人は、下記特許文献１に開示した構成に基づいて、図７に示すように、底皿５１、４枚の側板５２，５３、Ｌ字状の隅柱５４及び蓋５５から成り、一対の側板５２の両側部に隅柱５４をリベットで取り付け、これらの側板５２を底皿５１の縁部の内側に沿って起立させ、対向する隅柱５４の溝に他対の側板５３の両側部を差し込んで、側板５２，５３の上方から蓋５５を被せる組立式コンテナを提供している。
【特許文献１】特許第３１０１７００号公報
【発明の開示】
【発明が解決しようとする課題】
【０００３】
ところで、上記のような組立式コンテナでは、底皿５１の周囲に各一対の側板５２，５３を立て込んだ状態で、内部に製品を収納する際、これらの側板５２，５３を支えていなければ、側板５２，５３が外側へ倒れる恐れがあり、梱包作業性に若干問題があった。
【０００４】
そこで、この発明は、梱包時における側板の転倒を防止し、作業性を改善したコンテナを提供することを課題とする。
【課題を解決するための手段】
【０００５】
上記課題を解決するため、この発明は、底皿、４枚の側板、Ｌ字状の隅柱及び蓋から成り、一対の側板の両側部に隅柱を取り付け、これらの側板を底皿の縁部の内側に沿って起立させ、対向する隅柱の溝に他対の側板の両側部を差し込んで、側板の上方から蓋を被せる組立式コンテナにおいて、前記一対の側板に取り付ける隅柱を途中の高さまでとしておき、この下部隅柱の上に載る上部隅柱を他対の側板の両側部に取り付け、上部隅柱の外辺部で一対の側板の外側への揺動を阻止するようにしたのである。
【０００６】
なお、上記組立式コンテナにおいて、各対の側板に取り付ける隅柱としては、直角をなす各方向の外辺部と内辺部の間に溝が形成され、この溝に側板が差し込まれるものを用いるとよい。
【発明の効果】
【０００７】
このように、隅柱を下部と上部に分割して、それぞれの隅柱を一対及び他対の側板の両側部に取り付け、下部隅柱の溝に他対の側板の両側部を差し込んだ状態で、上部隅柱の外辺部により一対の側板の外側への揺動が阻止されるようにすると、一対及び他対の側板が相互に支持されるので、製品収納時に立て込んだ側板を支えておく必要がなくなり、梱包時の作業性が大幅に改善される。
【発明を実施するための最良の形態】
【０００８】
以下、この発明の実施形態を添付図面に基づいて説明する。
【０００９】
図１に示すように、この組立式コンテナは、底皿１、各一対の側板２，３、上下に分割されたＬ字状の隅柱４，５、内カバー６及び蓋７から構成される。底皿１、側板２，３、内カバー６及び蓋７は、リブを有する中空構造のポリプロピレン等を素材とするプラスチック板を用いたものであり、隅柱４，５は、アルミニウム等の金属又はプラスチックを材料として、積み上げ時の座屈強度を確保できる肉厚にしたものとされている。
【００１０】
底皿１と蓋７のプラスチック板は、矩形の板体の各辺に連設した縁部１ａ，７ａが上方又は下方へ折り曲げられ、四隅にＬ字状のコーナー材１ｂ，７ｂがリベット止めされて保形されている。内カバー６のプラスチック板は、一対の引掛部６ａが下方へ折り曲げられて、蓋７に内接する大きさとされている。
【００１１】
隅柱４，５では、図６に示すように、直角をなす各方向の外辺部４ａ，５ａと内辺部４ｂ，５ｂの間に溝４ｃ，５ｃが形成され、この溝４ｃ，５ｃに側板２，３がそれぞれ差し込まれるようになっている。また、一方の外辺部４ａ，５ａは、内辺部４ｂ，５ｂよりもやや長く、隅柱４において、梱包時に側板３が差し込みやすくなっている。なお、外側のコーナー部４ｄ，５ｄには、作業時における危険防止のため、丸みをつけておくとよい。
【００１２】
そして、隅柱４は、側板２，３の途中の高さまでとされ、一対の側板２の両側部に下端を揃えてリベットで固定される。また、隅柱５は、側板２，３の残りの高さに対応し、他対の側板３の両側部に上端を揃えてリベットで固定される。なお、側板２，３の隅柱４，５への固定は、ビスや接着剤で行ってもよい。
【００１３】
これらの部材から成るコンテナは、底皿１の内部に、隅柱４，５を予め取り付けた側板２，３と、９０°向きを変えた内カバー６とを収納し、底皿１に蓋７を被せると、扁平な箱の状態となるので、保管時や製品納入先からの返送時に嵩張ることがなく、管理・輸送コストを削減できる。
【００１４】
一方、このコンテナを使用時に組み立てる際には、図２及び図３に示すように、底皿１の対向する縁部１ａの内側に沿って一対の側板２を起立させ、これに取り付けた隅柱４の対向する溝４ｃに他対の側板３の両側部を差し込み、側板３の下降に伴い、隅柱５の溝５ｃに一対の側板２の両側部を差し込んで、隅柱４の上に隅柱５が載るようにする。
【００１５】
この状態においては、隅柱５の外辺部５ａにより一対の側板２の外側への揺動が阻止され、一対及び他対の側板２，３が相互に支持されるので、製品の収納に際し、底皿１の周囲に立て込んだ側板２，３を支えておく必要がなくなり、従来のコンテナに比較して、梱包時の作業性が大幅に改善される。
【００１６】
なお、この実施形態では、隅柱４，５に共通の部材を使用しているため、隅柱５にも内辺部５ｂを設けて溝５ｃを形成しているが、機能面だけを考慮すれば、内辺部５ｂを省略しても同様の効果を得ることができる。
【００１７】
そして、製品の収納後、図４に示すように、内カバー６を側板３の上端に渡して被せ、図５に示すように、側板２，３の上方から蓋７を被せると、コンテナの組み立てが完了すると共に、製品の梱包が終了する。
【００１８】
ここで、内カバー６は、蓋７が底皿１よりも一回り大きく形成されていることから、蓋７と側板３の隙間を引掛部６ａの厚さで埋めて、蓋７のがたつきを防止しようとするものであるが、他のがたつき防止手段を採用する場合には、内カバー６を省略してもよい。
【図面の簡単な説明】
【００１９】
【図１】この発明の実施形態に係る組立式コンテナの分解斜視図
【図２】同上の側板の立込過程を示す斜視図
【図３】同上の側板の立込状態を示す斜視図
【図４】同上の内カバーを被せた状態を示す斜視図
【図５】同上の蓋を被せた状態を示す斜視図
【図６】同上の隅柱の平面形状を示す図
【図７】従来の組立式コンテナの組立過程を示す斜視図
【符号の説明】
【００２０】
１  底皿
１ａ  縁部
１ｂ  コーナー材
２，３  側板
４，５  隅柱
４ａ，５ａ  外辺部
４ｂ，５ｂ  内辺部
４ｃ，５ｃ  溝
４ｄ，５ｄ  コーナー部
６  内カバー
６ａ  引掛部
７  蓋
７ａ  縁部
７ｂ  コーナー材
【図１】
2006082877.tif 000003
【図２】
2006082877.tif 000004
【図３】
2006082877.tif 000005
【図４】
2006082877.tif 000006
【図５】
2006082877.tif 000007
【図６】
2006082877.tif 000008
【図７】
2006082877.tif 000009